(57)【特許請求の範囲】
【請求項１】
媒体において情報が記録される範囲を示す記録領域と前記記録領域内に記録される前記
情報とを表示可能な表示部と、前記表示部の表示内容を制御する表示制御部とを備え、
前記表示制御部は、前記媒体への前記記録領域の配置態様を示すレイアウトビュー及び前記記録領域の詳細な情報を示すプレビューのそれぞれで前記記録領域及び前記情報を前記表示部に表示させるとともに、前記レイアウトビュー及び前記プレビューのそれぞれでの前記記録領域の拡大及び縮小の操作と、前記レイアウトビューと前記プレビューとの切り替えの操作とが可能なスライダーを前記表示部に表示させ、
前記スライダーは、操作により移動可能な操作子と、前記操作子の移動可能範囲を示す
スライドバーとを有し、
前記スライドバーは、前記レイアウトビューで前記記録領域の拡大及び縮小を行う前記操作子の移動可能範囲である第１スライド領域と、前記プレビューで前記記録領域の拡大及び縮小を行う前記操作子の移動可能範囲である第２スライド領域とが一列に並んで形成されており、
前記表示制御部は、前記レイアウトビューを前記表示部に表示させるレイアウトタブと前記プレビューを前記表示部に表示させるプレビュータブとを表示させるとともに、前記レイアウトタブ及び前記プレビュータブの選択に基づいて前記レイアウトビュー及び前記プレビューを切り替え可能であり、前記レイアウトタブ及び前記プレビュータブの選択に基づいて、前記操作子を、選択されたタブに対応するスライド領域の位置に移動させる
ことを特徴とする表示制御装置。
【請求項２】
前記第１スライド領域における前記操作子の単位移動量当たりの前記記録領域の拡大及
び縮小の倍率と、前記第２スライド領域における前記操作子の単位移動量当たりの前記記
録領域の拡大及び縮小の倍率とが異なっている
ことを特徴とする請求項１に記載の表示制御装置。
【請求項３】
前記操作子の単位移動量当たりの前記記録領域の拡大及び縮小の倍率は、前記第１スラ
イド領域における前記倍率よりも、前記第２スライド領域における前記倍率の方が大きい、
ことを特徴とする請求項２に記載の表示制御装置。
【請求項４】
前記表示制御部は、前記表示部に表示される記録領域を選択可能な選択部を備える
ことを特徴とする請求項３に記載の表示制御装置。
【請求項５】
前記表示制御部は、前記第１スライド領域において前記操作子が操作されるとき、前記
選択部で選択された前記記録領域を中心に前記レイアウトビューに表示された前記記録領
域を拡大及び縮小する
ことを特徴とする請求項４に記載の表示制御装置。
【請求項６】
前記表示制御部は、前記選択部が前記表示部に表示される記録領域の一部を選択し、前
記第２スライド領域において前記操作子が操作されるとき、前記選択部で選択された前記
記録領域の一部を中心に前記選択部で選択された前記記録領域を拡大及び縮小する
ことを特徴とする請求項５に記載の表示制御装置。
【請求項７】
前記表示制御部は、前記レイアウトタブと前記プレビュータブとが切り替えられるとき
、前記操作子を、切り替えられたタブに対応するスライド領域の位置に段階的に移動する
ことを特徴とする請求項１に記載の表示制御装置。
【請求項８】
前記表示制御部は、前記第１スライド領域の表示態様と前記第２スライド領域の表示態
様とを互いに異ならせる
ことを特徴とする請求項１〜７のいずれか一項に記載の表示制御装置。
【発明の詳細な説明】
【技術分野】
【０００１】
本発明は、例えばプリントサーバーの表示部にユーザーインターフェースを表示させる
表示制御装置に関する。
【背景技術】
【０００２】
複数のホストコンピューターと複数のプリンターとをプリントサーバーが中継する印刷
システムが知られている。このような印刷システムにおいて、プリントサーバーは、所定
のホストコンピューターから印刷ジョブを受信したとき、その印刷ジョブのページ記述言
語（ＰＤＬ：page description language）を解釈して、その印刷ジョブを、複数のプリ
ンターのうち当該印刷ジョブの印刷要求先のプリンターに適したデータとして出力する。
【０００３】
また、このような印刷システムでは、プリントサーバーの表示装置にユーザーインター
フェースとして印刷ジョブの一覧を示すサムネイルや媒体に印刷する印刷対象データの画
像データを示すプレビューなどを表示させる。そして、ユーザーがマウスやキーボード等
を操作することにより、表示装置においてサムネイルやプレビューを確認する作業が行わ
れる（例えば、特許文献１参照）。
【０００４】
特許文献１では、ユーザーインターフェースとしてスライダーがサムネイルとともに表
示装置に表示される。そして、ユーザーがスライダーを操作することにより、サムネイル
に表示された印刷ジョブの印刷対象データの画像データを拡大又は縮小させる。また、サ
ムネイルで示された印刷対象データの画像データと媒体に印刷する画像のプレビューで示
された画像データとを、スライダーの操作により、切り替え可能とされている。
【先行技術文献】
【特許文献】
【０００５】
【特許文献１】特開２００８−２３４４５７号公報
【発明の概要】
【発明が解決しようとする課題】
【０００６】
ところで、特許文献１では、スライダーの操作により、プレビューの画像データをサム
ネイルにおける最大拡大率の画像データよりも大きくすることはできるものの、プレビュ
ーの画像データ自体を拡大及び縮小することはできない。したがって、ユーザーがプリン
ターで媒体に画像を印刷する前にその画像を表示部で確認する場合におけるスライダーの
操作性についてなお改善の余地がある。なお、このような問題は、サムネイル及びプレビ
ューに限られず、表示部に表示された表示態様が異なる記録領域と情報を含んで表示され
た画像に対してスライダーが操作されるときにも同様に生じる。
【０００７】
本発明は、このような実情に鑑みてなされたものであり、その目的は、スライダーの操
作性を高くすることができる表示制御装置を提供することにある。
【課題を解決するための手段】
【０００８】
以下、上記課題を解決するための手段及びその作用効果について記載する。
上記課題を解決する表示制御装置は、媒体において情報が記録される範囲を示す記録領
域と前記記録領域内に記録される前記情報とを表示可能な表示部と、前記表示部の表示内
容を制御する表示制御部とを備え、前記表示制御部は、表示態様が互いに異なる第１表示
態様及び第２表示態様のそれぞれで前記記録領域及び前記情報を前記表示部に表示させる
とともに、前記第１表示態様及び前記第２表示態様のそれぞれでの前記記録領域の拡大及
び縮小の操作と、前記第１表示態様と前記第２表示態様との切り替えの操作とが可能なス
ライダーを前記表示部に表示させる。
【０００９】
上記構成によれば、スライダーの操作により、第１表示態様及び第２表示態様のそれぞ
れでの記録領域の拡大及び縮小と、第１表示態様と第２表示態様との切り替えとが可能と
なるため、記録領域と情報を含んで表示された画像データを確認するときに用いるスライ
ダーの操作性を高くすることができる。
【００１０】
また、上記表示制御装置において、前記スライダーは、操作により移動可能な操作子と
、前記操作子の移動可能範囲を示すスライドバーとを有し、前記スライドバーは、前記第
１表示態様で前記記録領域の拡大及び縮小を行う前記操作子の移動可能範囲である第１ス
ライド領域と、前記第２表示態様で前記記録領域の拡大及び縮小を行う前記操作子の移動
可能範囲である第２スライド領域とが一列に並んで形成されていることが好ましい。
【００１１】
上記構成によれば、記録領域の表示態様が異なる第１表示態様及び第２表示態様のそれ
ぞれでの記録領域の拡大及び縮小のために共通のスライダーを用いるため、第１表示態様
及び第２表示態様のそれぞれでの記録領域の拡大及び縮小の操作を１つのスライダーによ
り行うことができる。したがって、第１表示態様及び第２表示態様のそれぞれに個別のス
ライダーが表示される場合と比較して、第１表示態様及び第２表示態様のそれぞれでの記
録領域の拡大及び縮小の操作性が向上する。
【００１２】
また、上記表示制御装置においては、前記第１スライド領域における前記操作子の単位
移動量当たりの前記記録領域の拡大及び縮小の倍率と、前記第２スライド領域における前
記操作子の単位移動量当たりの前記記録領域の拡大及び縮小の倍率とが異なっていること
が好ましい。
【００１３】
上記構成によれば、記録領域を拡大又は縮小する目的や状況に応じて、第１スライド領
域及び第２スライド領域を使い分けることができるため、記録領域の拡大及び縮小の操作
性が向上する。
【００１４】
また、上記表示制御装置において、前記操作子の単位移動量当たりの前記記録領域の拡
大及び縮小の倍率は、前記第１スライド領域における前記倍率よりも、前記第２スライド
領域における前記倍率の方が大きく、前記第１表示態様は前記媒体への前記記録領域の配
置態様を示すレイアウトビューであり、前記第２表示態様は前記記録領域の詳細な情報を
示すプレビューであることが好ましい。
【００１５】
例えば複数の記録領域の配置態様を示すレイアウトビューでは、ユーザーが複数の記録
領域の配置位置や記録領域の向きなどを確認するため、レイアウトビューにおける複数の
記録領域を徐々に拡大又は縮小することが好ましい。一方、プレビューでは、ユーザーが
例えば記録領域内の情報の詳細を確認するため、プレビューで表示された記録領域が速や
かに拡大又は縮小することが好ましい。
【００１６】
この点、上記構成によれば、レイアウトビューの記録領域は第１スライド領域において
操作子が操作され、プレビューの記録領域は第２スライド領域において操作子が操作され
るため、プレビューにおける記録領域の拡大及び縮小の倍率がレイアウトビューにおいて
記録領域の拡大及び縮小の倍率よりも大きくなる。したがって、レイアウトビューでは複
数の記録領域を徐々に拡大又は縮小することができ、プレビューでは１つの記録領域を速
やかに拡大又は縮小することができるため、ユーザーが複数の記録領域の配置位置や記録
領域の向きの確認、及び記録領域内の詳細な情報の確認がしやすくなる。
【００１７】
また、上記表示制御装置において、前記表示制御部は、前記表示部に表示される記録領
域を選択可能な選択部を備えることが好ましい。
上記構成によれば、選択部によりユーザーが確認したい記録領域の一部又は全部を選択
して拡大及び縮小することができる。このため、ユーザーが記録領域の情報を確認しやす
くなる。
【００１８】
また、上記表示制御装置において、前記表示制御部は、前記第１スライド領域において
前記操作子が操作されるとき、前記選択部で選択された前記記録領域を中心に前記レイア
ウトビューに表示された前記記録領域を拡大及び縮小することが好ましい。
【００１９】
上記構成によれば、ユーザーが確認したい記録領域を中心にレイアウトビューに表示さ
れた記録領域が拡大及び縮小されるため、例えばユーザーが記録領域を拡大した後、その
拡大した記録領域をレイアウトビュー内におけるユーザーが視認可能な領域に移動させる
作業を省略することができる。このため、ユーザーが選択された記録領域を容易に確認す
ることができる。
【００２０】
また、上記表示制御装置において、前記表示制御部は、前記選択部が前記表示部に表示
される記録領域の一部を選択し、前記第２スライド領域において前記操作子が操作される
とき、前記選択部で選択された前記記録領域の一部を中心に前記選択部で選択された前記
記録領域を拡大及び縮小することが好ましい。
【００２１】
上記構成によれば、ユーザーが確認したい記録領域の一部を中心に記録領域が拡大及び
縮小されるため、例えばユーザーが記録領域の一部を拡大した後、その拡大した記録領域
の一部をプレビュー内におけるユーザーが視認可能な領域に移動させる作業を省略するこ
とができる。このため、ユーザーが記録領域において選択した一部を容易に確認すること
ができる。
【００２２】
また、上記表示制御装置において、前記表示制御部は、前記レイアウトビューを前記表
示部に表示させるレイアウトタブと前記プレビューを前記表示部に表示させるプレビュー
タブとを表示させるとともに、前記レイアウトタブ及び前記プレビュータブの選択に基づ
いて前記レイアウトビュー及び前記プレビューを切り替え可能であることが好ましい。
【００２３】
上記構成によれば、スライダーの操作によりレイアウトビューとプレビューとを切り替
える場合と比較して、レイアウトビューとプレビューとを速やかに切り替えることができ
る。
【００２４】
また、上記表示制御装置において、前記表示制御部は、前記レイアウトタブ及び前記プ
レビュータブの選択に基づいて、前記操作子を、選択されたタブに対応するスライド領域
の位置に移動させることが好ましい。
【００２５】
上記構成によれば、レイアウトタブやプレビュータブの切り替え後に操作子の位置を調
整する作業を省略することができるため、レイアウトタブやプレビュータブの切り替え後
のスライダーによる記録領域の拡大及び縮小の操作性が高くなる。
【００２６】
また、上記表示制御装置において、前記表示制御部は、前記レイアウトタブと前記プレ
ビュータブとが切り替えられるとき、前記操作子を、切り替えられたタブに対応するスラ
イド領域の位置に段階的に移動することが好ましい。
【００２７】
レイアウトタブやプレビュータブの切り替えにより一瞬で操作子の位置が変更される場
合、操作子が移動したか否かをユーザーが把握しにくいため、レイアウトタブやプレビュ
ータブに対応する操作子の位置が正しいか否かをユーザーが把握しにくくなる。
【００２８】
この点、上記構成によれば、レイアウトタブやプレビュータブの切り替え時に操作子が
段階的に移動するため、ユーザーは操作子の移動を確認することができ、レイアウトタブ
やプレビュータブに対応する操作子の位置が正しいか否かを把握しやすくなる。
【００２９】
また、上記表示制御装置において、前記表示制御部は、前記第１スライド領域の表示態
様と前記第２スライド領域の表示態様とを互いに異ならせることが好ましい。
上記構成によれば、ユーザーがスライドバーの第１スライド領域と第２スライド領域と
を区別しやすくなり、各スライド領域の長さを把握しやすくなる。このため、ユーザーが
各スライド領域における操作子の位置に対する記録領域の拡大及び縮小の倍率を把握しや
すくなる。
【図面の簡単な説明】
【００３０】
【図１】表示制御装置の一例であるプリントサーバーを含む印刷システムの一実施形態の構成を示すブロック図。
【図２】プリントサーバーの表示装置に表示された設定画面の一例を示す模式図。
【図３】（ａ）拡大表示される前のレイアウトビューの一例を示す模式図、（ｂ）拡大表示されたレイアウトビューの一例を示す模式図。
【図４】（ａ）拡大表示される前のプレビューの一例を示す模式図、（ｂ）拡大表示されたプレビューの一例を示す模式図。
【図５】レイアウトビュー及びプレビューにおける操作子の位置と、記録領域の倍率との関係を示すグラフ。
【図６】表示態様変更処理の処理手順を示すフローチャート。
【図７】操作子の位置とタブとの組み合わせを示す表。
【発明を実施するための形態】
【００３１】
以下、表示制御装置の一実施形態について図面を参照して説明する。
図１に示すように、表示制御装置の一例であるプリントサーバー１１は、印刷機能に特
化したサーバーであり、ネットワークＮＴを経由して、１つ以上のホストコンピューター
６０及び１つ以上のプリンター７０に接続されて印刷システムを構成している。なお、本
実施形態のプリンター７０は、インクジェット式のプリンターであるが、媒体の印刷が可
能であれば、ドットインパクト方式、レーザー方式、及び感熱方式などのインクジェット
方式以外の他の方式であってもよい。
【００３２】
ホストコンピューター６０は、プリンター７０に対して印刷要求を行うホスト装置であ
り、一例としてプリンター７０に対応する印刷ドライバーを有するパーソナルコンピュー
ターである。ホストコンピューター６０は、印刷ドライバーを通じて印刷ジョブを生成し
、プリントサーバー１１に出力する。印刷ジョブは、媒体の一例である連続紙の種類、連
続紙のサイズ、連続紙への画像等のレイアウト、インクの種類、画像等の色などの印刷情
報を含む。なお、ホストコンピューター６０は、パーソナルコンピューターに代えて、ス
マートフォン、携帯情報端末（ＰＤＡ（Personal Digital Assistants））等の携帯端末
であってもよい。
【００３３】
プリントサーバー１１は、表示装置２０と、マウス及びキーボードを有する操作部２１
とを備えるパーソナルコンピューターにより構成され、印刷処理の中継、印刷ジョブの画
像データの加工（画像処理）、加工された画像データの蓄積などの機能を主に担う。プリ
ントサーバー１１は、ユーザーによる操作部２１の操作に基づいて、ホストコンピュータ
ー６０から受信した印刷ジョブを、印刷ジョブのページ記述言語（ＰＤＬ）を解釈して印
刷要求先のプリンター７０に適したデータにしたうえで、そのデータをネットワークＮＴ
を通じてプリンター７０に出力する。
【００３４】
プリントサーバー１１は、ＨＤＤなどにより構成される記憶部１２と、ＣＰＵ、ＲＯＭ
、ＲＡＭなどにより構成されるアプリケーションである印刷制御部１３とを備える。
記憶部１２は、ホストコンピューター６０から受信した印刷ジョブを含む印刷対象デー
タを格納する。この印刷対象データは、印刷制御部１３により印刷が指示される対象のデ
ータ群であり、ホストコンピューター６０からの１つの印刷ジョブ、写真などの１つのイ
メージデータ等の単位で構成されている。これらデータのそれぞれは、識別情報でリンク
された属性情報、サムネイルビュー、レイアウトビューデータ、プレビューデータ、画像
データ等を有している。なお、画像データとは、印刷対象となる画像そのもののデータで
あり、例えばビットマップデータとして収められる。また属性情報とは、データの容量、
データ形式、作成者などの画像データに属する情報である。またビューデータとは、表示
装置２０の表示部２２に印刷対象となる画像を表示するためのデータであり、例えば画像
データのサイズを小さくしたデータである。ここで画像データは、相似状などに小さくし
てもよい。
【００３５】
印刷制御部１３は、印刷対象データをプリンター７０により印刷させるための実行処理
を行う機能などを有する。また印刷制御部１３は、表示装置２０の表示部２２に、印刷対
象データの画像データを複数種類の表示形式で表示させる表示制御部１４を備える。詳細
には、表示制御部１４は、ユーザーの操作部２１による操作に基づいて、複数種類の表示
形式としてサムネイルビュー、レイアウトビュー、及びプレビューを表示部２２に切り替
えて表示する。サムネイルビューは、印刷対象データにおける画像データの縮小版イメー
ジを表示する。レイアウトビューは、サムネイルビューよりも画像データが拡大され、且
つ印刷対象データにおける画像データの配置や向きのレイアウトを表示する。プレビュー
は、レイアウトビューよりも画像データが拡大され、且つ１つの画像データの全体イメー
ジを表示する。
【００３６】
このような各種ビューの表示を制御する表示制御部１４は、グラフィックユーザーイン
ターフェース制御モジュール（以下、「ＧＵＩ制御モジュール１５」と称する。）、サム
ネイルビューモジュール１６、レイアウトビューモジュール１７、及びプレビューモジュ
ール１８を備える。
【００３７】
ＧＵＩ制御モジュール１５は、印刷対象データの表示及びその表示の切り替えのための
インターフェースを制御する。ＧＵＩ制御モジュール１５は、印刷対象データの画像デー
タをサムネイルビュー、レイアウトビュー、及びプレビューにより表示する表示ウィンド
ウ３１（図２参照）を表示部２２に表示し、各ビューの表示の切り替えのためのスライダ
ー形式の操作インターフェースを表示ウィンドウ３１に表示する。またＧＵＩ制御モジュ
ール１５は、操作部２１の操作に基づいて各ビューにおいて所定の画像データを選択する
選択部１５Ａを含む。選択部１５Ａは、操作部２１により操作されるカーソル（図示略）
を有する。
【００３８】
そしてＧＵＩ制御モジュール１５は、操作部２１の操作に基づくサムネイルビュー、レ
イアウトビュー、及びプレビューの表示要求に基づいてサムネイルビューモジュール１６
、レイアウトビューモジュール１７、及びプレビューモジュール１８に要求信号を出力す
る。
【００３９】
サムネイルビューモジュール１６、レイアウトビューモジュール１７、及びプレビュー
モジュール１８は、ＧＵＩ制御モジュール１５からの要求信号に基づいて、サムネイルビ
ュー、レイアウトビュー、及びプレビューを生成するために必要なデータを記憶部１２か
ら取得し、そのデータをＧＵＩ制御モジュール１５に出力する。そしてＧＵＩ制御モジュ
ール１５は、操作部２１の操作に基づくサムネイルビュー、レイアウトビュー、及びプレ
ビューの表示要求に応じたビューを表示ウィンドウ３１に表示させる。
【００４０】
次に、図２〜図４を参照して、表示部２２に表示された各ビューの内容について説明す
る。
ユーザーが操作部２１によりアプリケーションである印刷制御部１３（ともに図１参照
）を起動させたとき、表示部２２には、図２に示すような設定画面３０が表示される。設
定画面３０の上側には、メニューとして、「ファイル」、「レイアウト」、「ツール」、
及び「環境設定」の項目が表示されている。これら項目が選択操作されたとき、その選択
された項目に応じた内容が表示ウィンドウ３１に表示される。なお、図２の設定画面３０
では、「レイアウト」が表示されている。
【００４１】
「レイアウト」の項目が選択された表示ウィンドウ３１には、「サムネイル」、「レイ
アウト」、及び「プレビュー」の各タブ４１Ａ，４２Ａ，４３Ａに応じて、印刷対象デー
タの画像データが表示されるビュー表示領域３２と、各ビューで設定可能な編集内容を表
示する操作領域３３とが表示ウィンドウ３１の左右に並べて表示されている。また表示ウ
ィンドウ３１において操作領域３３の左隣には、レイアウトボタン３４Ａ、ツールボタン
３４Ｂ、及び環境設定ボタン３４Ｃが表示されている。なお、ツールボタン３４Ｂ及び環
境設定ボタン３４Ｃが押操作されたとき、その選択されたボタンに応じた内容が表示ウィ
ンドウ３１に表示される。なお、ツールボタン３４Ｂ及びメニューに表示されている「ツ
ール」の項目のうちのどちらが選択されても、表示ウィンドウ３１にツール内容が表示さ
れ、環境設定ボタン３４Ｃ及び「環境設定」の項目のうちのどちらが選択されても、表示
ウィンドウ３１に環境設定の内容が表示される。
【００４２】
図２の設定画面３０の表示ウィンドウ３１では、「サムネイル」のタブ４１Ａが選択さ
れているため、ビュー表示領域３２には、サムネイルビュー４１が表示され、操作領域３
３には、図示はしていないが、サムネイルビュー４１で設定可能な編集内容（例えば、画
像データの移動及び削除など）が表示されている。図２のサムネイルビュー４１は、画像
データＪＤ１，ＪＤ２，ＪＤ３がそれらの印刷が指示される順番に上側から下側に向けて
並べられたツリー表示である。
【００４３】
図２では、上から２番目の画像データＪＤ２が階層表示されている。すなわち、画像デ
ータＪＤ２は、その下層に画像データＪＤ２１及び画像データＪＤ２２を含み、画像デー
タＪＤ２１及び画像データＪＤ２２を上下方向と交差する方向である左右方向の位置を画
像データＪＤ２よりも右側にずらして配置することで、階層構造であることを分かり易く
表示している。画像データＪＤ１，ＪＤ２１，ＪＤ２２，ＪＤ３は、連続紙において情報
の一例である画像が記録される範囲を示す記録領域ＲＡをそれぞれ表示し、これら記録領
域ＲＡ内には、連続紙に記録すべき画像が表示されている。また図２では、操作部２１（
図１参照）の操作に基づく設定画面３０内のカーソル（図示略）の移動により、画像デー
タＪＤ１が選択されている。すなわち選択部１５Ａ（図１参照）により画像データＪＤ１
が選択されている。このため、図２では、画像データＪＤ１の記録領域ＲＡの枠が太線に
より示されている。
【００４４】
図３（ａ）に示すように、操作部２１（図１参照）の操作に基づく設定画面３０内のカ
ーソルの移動により「レイアウト」のタブ４２Ａが選択されたとき、表示ウィンドウ３１
におけるビュー表示領域３２には、第１表示態様の一例であるレイアウトビュー４２が表
示される。この場合、操作領域３３には、レイアウトビュー４２で設定可能な編集内容（
例えば、画像データの移動及び削除など）が表示される。図３（ａ）のレイアウトビュー
４２では、画像データＪＤ１，ＪＤ２１，ＪＤ２２，ＪＤ３のそれぞれの記録領域ＲＡの
配置位置や向き等のレイアウトが表示されている。詳細には、画像データＪＤ１，ＪＤ３
は、記録領域ＲＡの長手方向が上下方向に沿い、短手方向が上下方向と交差する方向であ
る左右方向に沿うように配置されている。また画像データＪＤ２１，ＪＤ２２は、記録領
域ＲＡの長手方向が左右方向に沿い、短手方向が上下方向に沿うように配置され、且つ画
像データＪＤ２１，ＪＤ２２が左右方向に並べられている。
【００４５】
また図４（ａ）に示すように、操作部２１（図１参照）の操作に基づく設定画面３０内
のカーソルの移動により「プレビュー」のタブ４３Ａが選択されたとき、表示ウィンドウ
３１におけるビュー表示領域３２には、第１表示態様とは表示態様が異なる第２表示態様
の一例であるプレビュー４３が表示される。この場合、操作領域３３には、プレビュー４
３で設定可能な編集内容（例えば、画像データの移動及び選択など）が表示される。図４
（ａ）のプレビュー４３では、画像データＪＤ１の記録領域ＲＡの全体を示す拡大図が表
示される。この場合、プレビュー４３における画像データＪＤ１の記録領域ＲＡのサイズ
がレイアウトビュー４２における画像データＪＤ１の記録領域ＲＡのサイズよりも大きい
。
【００４６】
また図２〜図４の表示ウィンドウ３１においてビュー表示領域３２の下側には、サムネ
イルビュー４１、レイアウトビュー４２、及びプレビュー４３の切り替えと、レイアウト
ビュー４２及びプレビュー４３における画像データの記録領域ＲＡの拡大及び縮小とを行
うための操作インターフェースであるスライダー５０が表示されている。図２に示すとお
り、スライダー５０は、操作部２１（図１参照）の操作により移動可能な円形状の操作子
５１と、操作子５１の移動可能範囲を示すスライドバー５２とを備える。スライドバー５
２は、左右方向に延びる棒状に形成され、左端の端部に形成された端部領域５３と、端部
領域５３の右隣に形成された第１スライド領域５４と、第１スライド領域５４の右隣に形
成された第２スライド領域５５とに区分される。また図２に示すとおり、スライドバー５
２は、端部領域５３、第１スライド領域５４、及び第２スライド領域５５が一列に並んで
形成されている。端部領域５３の左右方向の長さは、第１スライド領域５４の左右方向の
長さ及び第２スライド領域５５の左右方向の長さよりも短い。また第１スライド領域５４
の左右方向の長さと第２スライド領域５５の左右方向の長さとは互いに等しい。このよう
なスライダー５０の構成によれば、ユーザーが操作子５１をスライドバー５２の左端から
右端に向けて移動させることにより、端部領域５３、第１スライド領域５４、及び第２ス
ライド領域５５の順に操作子５１が通過する。スライドバー５２の左右方向の長さは、ビ
ュー表示領域３２の左右方向の長さと同じになるように配置されており、ビュー表示領域
３２が左右方向にサイズの変更をする場合には、ビュー表示領域３２のサイズに合わせて
スライドバー５２の長さを変更してもよい。この場合、ビュー表示領域３２とスライドバ
ー５２の左右方向の大きさが連動して変化するため、ユーザーはスライドバー５２とビュ
ー表示領域３２とが関連があるものと、直感的に理解しやすい。また、スライドバー５２
は、ビュー表示領域３２の左右方向のサイズを超える大きさで配置されていてもよい。こ
の場合、スライドバー５２の移動可能範囲が広くとれるため、ユーザーが操作しやすくな
る。
【００４７】
また端部領域５３の表示態様、第１スライド領域５４の表示態様、及び第２スライド領
域５５の表示態様は、互いに異なる。例えば本実施形態では、各領域５３〜５５の色が異
なることで、各領域５３〜５５の表示態様を異ならせている。具体的には、端部領域５３
が赤色により示され、第１スライド領域５４が青色により示され、第２スライド領域５５
が緑色により示される。
【００４８】
またスライドバー５２の下側には、端部領域５３における操作子５１の位置を示す位置
表示部５６Ａと、第２スライド領域５５における操作子５１が左端に位置するときの操作
子５１の中心位置を示す位置表示部５６Ｂとが表示されている。
【００４９】
第１スライド領域５４は、レイアウトビュー４２における画像データの記録領域ＲＡの
拡大及び縮小を行う操作子５１の移動可能範囲であり、第２スライド領域５５は、プレビ
ュー４３における画像データの記録領域ＲＡの拡大及び縮小を行う操作子５１の移動可能
範囲である。このため、第１スライド領域５４及び第２スライド領域５５内で操作子５１
が移動することにより、画像データＪＤ１〜ＪＤ３のうちの選択された画像データを中心
としてレイアウトビュー４２内における画像データＪＤ１〜ＪＤ３の記録領域ＲＡの拡大
及び縮小が行われる。
【００５０】
詳細には、図３（ａ）に示すように、第１スライド領域５４の左端に操作子５１が位置
する状態の画像データＪＤ１〜ＪＤ３の記録領域ＲＡのサイズをレイアウトビュー４２の
基準サイズとして、図３（ｂ）に示すように、操作子５１が左側から右側に移動するにつ
れて画像データＪＤ１〜ＪＤ３の記録領域ＲＡが基準サイズよりも拡大する。一方、操作
子５１が右側から左側に移動するにつれて、拡大された画像データＪＤ１〜ＪＤ３の記録
領域ＲＡが基準サイズに向けて縮小する。本実施形態では、画像データＪＤ１が選択され
ているため、画像データＪＤ１の記録領域ＲＡを中心として、各画像データＪＤ１〜ＪＤ
３の記録領域ＲＡが拡大及び縮小する。また第１スライド領域５４の右端に操作子５１が
位置するとき、レイアウトビュー４２における画像データＪＤ１〜ＪＤ３の記録領域ＲＡ
が最大となる。ここで、本実施形態では、画像データＪＤ１が選択されているため、画像
データＪＤ１は図３（ｂ）に示すビュー表示領域３２内に表示される。一方、画像データ
ＪＤ２１，ＪＤ２２は図３（ｂ）に示すビュー表示領域３２内に一部のみが表示され、画
像データＪＤ３（図３（ａ）参照）は図３（ｂ）に示すビュー表示領域３２内に表示され
ていない。画像データＪＤ２１，ＪＤ２２，ＪＤ３は、ビュー表示領域３２を下側にスク
ロールすることにより設定画面３０に表示可能となる。
【００５１】
また図４（ａ）に示すように、画像データＪＤ１が選択された状態で、ユーザーは、操
作部２１（図１参照）の操作に基づく設定画面３０内のカーソルの移動により画像データ
ＪＤ１の一部である所定の画像領域を選択することができる。図４（ａ）では、所定の画
像領域として円形の画像を含む画像領域が選択されている。このように、選択部１５Ａは
、画像データＪＤ１の一部を選択可能である。
【００５２】
そして図４（ａ）に示すような第２スライド領域５５の左端に操作子５１が位置する状
態の画像データＪＤ１の記録領域ＲＡのサイズをプレビュー４３の基準サイズとして、図
４（ｂ）に示すように、操作子５１が左側から右側に移動するにつれて画像データＪＤ１
の記録領域ＲＡが基準サイズよりも拡大する。一方、操作子５１が右側から左側に移動す
るにつれて、拡大された画像データＪＤ１の記録領域ＲＡが基準サイズに向けて縮小する
。そして第２スライド領域５５の右端に操作子５１が位置するとき、プレビュー４３にお
ける画像データＪＤ１の記録領域ＲＡが最大となる。本実施形態では、円形の画像を含む
画像領域が選択されているため、円形の画像を含む画像領域がビュー表示領域３２の中心
に配置されるように、円形の画像を含む画像領域を中心として、画像データＪＤ１が拡大
及び縮小する。なお、画像データＪＤ２又はＪＤ３が選択された場合も同様に変更される
。
【００５３】
ここで、第１スライド領域５４における操作子５１の単位移動量当たりの印刷対象デー
タの拡大及び縮小の倍率と、第２スライド領域５５における操作子５１の単位移動量当た
りの画像データの拡大及び縮小の倍率とは、異なるように設定されている。具体的には、
図５に示すマップのように、第２スライド領域５５における操作子５１の単位移動量当た
りの画像データの記録領域ＲＡの拡大及び縮小の倍率を示すグラフＧ２の傾きが、第１ス
ライド領域５４における操作子５１の単位移動量当たりの画像データの記録領域ＲＡの拡
大及び縮小の倍率を示すグラフＧ１の傾きよりも大きい。拡大及び縮小の倍率は、操作子
５１が第２スライド領域５５の左端に位置するときに、プレビュー４３内に選択された画
像領域が全体に表示されかつ最大の大きさになる値に決定される。このとき、縦長の画像
領域が選択された場合には、プレビュー４３内に選択された画像領域の縦が収まるように
表示され、横長の画像領域が選択された場合には、プレビュー４３内に選択された画像領
域の横が収まるように表示されるように拡大及び縮小の倍率を決めてもよい。また、選択
された画像領域は複数であってもよく、選択された複数の画像領域がプレビュー４３内に
収まった状態で表示されるように拡大及び縮小の倍率の値が決められる。こうすることに
より、内容を確認したい画像領域の拡大及び縮小の倍率が適切に決まっているため、少な
い操作量でユーザーが確認しやすい大きさでプレビュー表示を行うことができ、ユーザー
の操作利便性を向上させることができる。
【００５４】
このような構成のスライダー５０を用いて、各ビューを切り替える場合、表示制御部１
４（図１参照）は、表示ウィンドウ３１におけるビューの表示態様の変更の操作と、レイ
アウトビュー４２及びプレビュー４３における画像データの記録領域ＲＡの拡大及び縮小
の操作とを含む表示態様変更処理を実行する。
【００５５】
以下、図６のフローチャートを参照して、表示態様変更処理の詳細な内容について説明
する。なお、以下の説明において、符号が付されたプリントサーバー１１の構成要素は、
図１のプリントサーバー１１の構成要素を示し、符号が付された設定画面３０に表示され
る要素は、図２〜図４の設定画面３０に表示される要素を示す。
【００５６】
図６に示すように、表示制御部１４は、まず、スライダー５０の操作子５１の位置情報
を取得し（ステップＳ１１）、操作子５１の位置が端部領域５３、第１スライド領域５４
、及び第２スライド領域５５のいずれかを判定する（ステップＳ１２及びＳ１３）。
【００５７】
具体的には、表示制御部１４は、まず操作子５１が端部領域５３に位置しているか否か
を判定する（ステップＳ１２）。ここで、表示制御部１４は、操作子５１が端部領域５３
に位置していると判定したとき（ステップＳ１２：ＹＥＳ）、サムネイルビュー４１を表
示ウィンドウ３１に表示させる（ステップ１４）。一方、表示制御部１４は、操作子５１
が端部領域５３に位置していないと判定したとき（ステップＳ１２：ＮＯ）、操作子５１
が第１スライド領域５４に位置しているか否かを判定する（ステップＳ１３）。
【００５８】
そして表示制御部１４は、操作子５１が第１スライド領域５４に位置していると判定し
たとき（ステップＳ１３：ＹＥＳ）、レイアウトビュー４２を表示ウィンドウ３１に表示
させ（ステップＳ１５）、図５に示すマップのグラフＧ１に基づく画像データの記録領域
ＲＡの拡大及び縮小の倍率に設定する（ステップＳ１６）。そして表示制御部１４は、設
定した倍率及び操作子５１の位置情報に基づいて、画像データの記録領域ＲＡの拡大又は
縮小を行う（ステップＳ１７）。
【００５９】
一方、表示制御部１４は、操作子５１が第１スライド領域５４に位置していないと判定
したとき（ステップＳ１３：ＮＯ）、操作子５１が第２スライド領域５５に位置している
と判定する。そして表示制御部１４は、プレビュー４３を表示ウィンドウ３１に表示させ
（ステップＳ１８）、図５に示すマップのグラフＧ２に基づく画像データの記録領域ＲＡ
の拡大及び縮小の倍率に設定する（ステップＳ１９）、そして表示制御部１４は、ステッ
プＳ１７に移行して、画像データの記録領域ＲＡの拡大又は縮小を行う。
【００６０】
ところで、表示ウィンドウ３１に表示される各ビューの切り替え方法としては、スライ
ダー５０による切り替えと、表示ウィンドウ３１のタブ４１Ａ，４２Ａ，４３Ａによる切
り替えとがある。そして、これらの切り替え方法の一方で各ビューを切り替えたとき、切
り替え方法の他方が連動しなければ、操作子５１の位置と、表示ウィンドウ３１に表示さ
れたビューとが異なってしまう場合がある。
【００６１】
そこで、本実施形態の表示制御部１４は、操作子５１の位置及び選択されたタブ４１Ａ
，４２Ａ，４３Ａが連動するように連動表示処理を実行する。具体的には、表示制御部１
４は、図７に示す操作子５１と選択されるタブ４１Ａ，４２Ａ，４３Ａとの組み合わせテ
ーブルを用いて、操作子５１の位置及び選択されたタブ４１Ａ，４２Ａ，４３Ａを連動さ
せる。
【００６２】
このため、例えば表示ウィンドウ３１がサムネイルビュー４１の場合において、ユーザ
ーが「レイアウト」のタブ４２Ａを選択したとき、表示制御部１４は、操作子５１を端部
領域５３から第１スライド領域５４の左端に段階的もしくは連続的に移動させる。また表
示ウィンドウ３１がレイアウトビュー４２の場合において、ユーザーが「プレビュー」の
タブ４３Ａを選択したとき、表示制御部１４は、操作子５１を第１スライド領域５４から
第２スライド領域５５の左端に段階的もしくは連続的に移動させる。ここで、操作子５１
の段階的な移動とは、操作子５１が所定の間隔をもって断続的に移動することであり、操
作子５１の連続的な移動とは、操作子５１の動きが途切れずに移動することである。
【００６３】
一方、ユーザーが操作子５１を端部領域５３から第１スライド領域５４に移動させたと
き、表示制御部１４は、「サムネイル」のタブ４１Ａの選択から「レイアウト」のタブ４
２Ａの選択に変更する。またユーザーが操作子５１を第１スライド領域５４から第２スラ
イド領域５５に移動させたとき、表示制御部１４は、「レイアウト」のタブ４２Ａの選択
から「プレビュー」のタブ４３Ａの選択に変更する。また、ユーザーが第１スライド領域
５４の所定位置を直接的に選択したとき、表示制御部１４は、「レイアウト」のタブ４２
Ａの選択に変更して、選択箇所に操作子５１を移動させるとともに選択された第１スライ
ド領域５４の位置に対応する拡大及び縮小の倍率で選択されている画像領域を表示する。
また、ユーザーが第２スライド領域５５の所定位置を直接的に選択したとき、表示制御部
１４は、「プレビュー」のタブ４３Ａの選択に変更して、選択箇所に操作子５１を移動さ
せるとともに選択された第２スライド領域５５の位置に対応する拡大及び縮小の倍率で選
択されている画像領域を表示する。
【００６４】
次に、以上のように構成された本実施形態のプリントサーバー１１の作用について説明
する。
さて、ユーザーは、プリンター７０により連続紙に画像データの記録を開始する前に、
印刷ジョブの数及び順番の確認、連続紙に印刷される画像データのレイアウトの確認、及
び連続紙に印刷される画像データの詳細な確認の順に確認作業を行う。そしてユーザーは
、全ての確認作業で問題がなければ、プリンター７０により連続紙に画像データの記録を
開始する。
【００６５】
この点、プリントサーバー１１の表示部２２には、プリントサーバー１１が起動された
とき、図２に示す設定画面３０、すなわち、印刷ジョブの数及び順番の確認が可能なサム
ネイルビュー４１が表示される。このため、ユーザーは、まず印刷ジョブの数及び順番の
確認を行うことができる。なお、図２に示すとおり、サムネイルビュー４１において画像
データＪＤ１が記録領域ＲＡの枠を太線で示されることにより選択されている。
【００６６】
そして、ユーザーがスライダー５０の操作子５１を右側に移動させることにより操作子
５１が端部領域５３から第１スライド領域５４に移動したとき、設定画面３０における表
示内容がサムネイルビュー４１からレイアウトビュー４２に切り替えられる。そして、ユ
ーザーが操作子５１を第１スライド領域５４内で操作することにより、レイアウトビュー
４２の画像データＪＤ１〜ＪＤ３の記録領域ＲＡが拡大又は縮小する。これにより、ユー
ザーは連続紙に印刷される画像データのレイアウト、すなわち画像データＪＤ１〜ＪＤ３
の記録領域ＲＡの配置位置や向きを確認することができる。
【００６７】
そしてユーザーが操作子５１を右側に移動させることにより操作子５１が第１スライド
領域５４から第２スライド領域５５に移動したとき、設定画面３０における表示内容がレ
イアウトビュー４２からプレビュー４３に切り替えられる。そして、ユーザーが操作子５
１を第２スライド領域５５内で操作することにより、プレビュー４３の画像データＪＤ１
の記録領域ＲＡが拡大又は縮小する。これにより、ユーザーは連続紙に印刷される画像デ
ータＪＤ１の記録領域ＲＡ内の画像データの詳細な確認を行うことができる。
【００６８】
このように、１つのスライダー５０による操作に基づいて、サムネイルビュー４１、レ
イアウトビュー４２、及びプレビュー４３を切り替えるとともに、上記確認作業を順に行
うことができる。したがって、上記確認作業を順に行ううえで表示部２２に必要な表示ウ
ィンドウ３１を表示させやすい。
【００６９】
本実施形態のプリントサーバー１１によれば、以下に示す効果を得ることができる。
（１）スライダー５０は、サムネイルビュー４１、レイアウトビュー４２、及びプレビ
ュー４３を切り替え可能であるとともに、レイアウトビュー４２及びプレビュー４３のそ
れぞれでの拡大及び縮小の実行が可能である。このように、ユーザーがスライダー５０を
操作することにより、レイアウトビュー４２及びプレビュー４３のそれぞれでの拡大及び
縮小を実行できるため、ユーザーインターフェースの操作性、すなわち記録領域ＲＡと情
報を含んで表示された画像データを確認するときに用いるスライダー５０の操作性を高く
することができる。
【００７０】
（２）スライドバー５２は、左右方向において第１スライド領域５４及び第２スライド
領域５５が一列に並んで形成されている。このため、画像データの記録領域ＲＡの表示態
様が異なるレイアウトビュー４２及びプレビュー４３において、共通のスライダー５０の
操作により、レイアウトビュー４２に表示された画像データの記録領域ＲＡの拡大及び縮
小と、プレビュー４３に表示された画像データの記録領域ＲＡの拡大及び縮小とが可能で
ある。したがって、レイアウトビュー４２及びプレビュー４３のそれぞれに個別のスライ
ダーが表示される場合と比較して、レイアウトビュー４２及びプレビュー４３における画
像データの記録領域ＲＡの拡大及び縮小の操作性が向上する。
【００７１】
（３）プリントサーバー１１は、第２スライド領域５５における画像データの記録領域
ＲＡの拡大及び縮小の倍率と第１スライド領域５４における画像データの記録領域ＲＡの
拡大及び縮小の倍率とが異なるように設定する。これにより、画像データの記録領域ＲＡ
を拡大又は縮小する目的や状況に応じて、第１スライド領域５４及び第２スライド領域５
５を使い分けることができるため、画像データの記録領域ＲＡの拡大及び縮小の操作性が
向上する。
【００７２】
（４）プリントサーバー１１は、第２スライド領域５５における画像データの記録領域
ＲＡの拡大及び縮小の倍率を第１スライド領域５４における画像データの記録領域ＲＡの
拡大及び縮小の倍率よりも大きくなるように設定する。そして、レイアウトビュー４２で
はスライドバー５２の第１スライド領域５４において操作子５１が操作され、プレビュー
４３では第２スライド領域５５において操作子５１が操作される。このため、プレビュー
４３における画像データの記録領域ＲＡの拡大及び縮小の倍率がレイアウトビュー４２に
おいて画像データの記録領域ＲＡの拡大及び縮小の倍率よりも大きくなる。したがって、
レイアウトビュー４２では複数の画像データの記録領域ＲＡを徐々に拡大又は縮小するこ
とができ、プレビュー４３では１つの画像データの記録領域ＲＡを速やかに拡大又は縮小
することができる。このため、ユーザーが複数の画像データの記録領域ＲＡの配置位置や
記録領域ＲＡの向きの確認、及び１つの画像データの記録領域ＲＡ内の詳細な画像の確認
がしやすくなる。
【００７３】
（５）プリントサーバー１１は、表示ウィンドウ３１に表示される画像データの記録領
域ＲＡを選択可能な選択部１５Ａを備える。このため、選択部１５Ａによりユーザーが確
認したい記録領域ＲＡの一部又は全部を選択して拡大及び縮小することができる。このた
め、ユーザーが記録領域ＲＡの情報を確認しやすくなる。
【００７４】
（６）プレビュー４３における画像データの記録領域ＲＡの一部が例えばカーソルによ
り選択され、その選択された記録領域ＲＡの一部が、スライダー５０の操作により拡大及
び縮小される。このため、ユーザーが確認したい記録領域ＲＡの一部を選択して拡大及び
縮小することができる。このため、ユーザーが記録領域ＲＡの画像を確認する際の操作性
が向上する。
【００７５】
（７）プレビュー４３における画像データの記録領域ＲＡの一部が例えばカーソルによ
り選択され、その選択された記録領域ＲＡの一部がスライダー５０の操作により拡大及び
縮小される際、記録領域ＲＡの一部がプレビュー４３の中心に表示される。これにより、
ユーザーが確認したい記録領域ＲＡの一部がプレビュー４３の中心に表示されるため、ユ
ーザーが記録領域ＲＡの一部を拡大した後、その拡大した記録領域ＲＡの一部をプレビュ
ー４３の中心に移動させる作業を省略することができる。このため、ユーザーが記録領域
ＲＡの一部を容易に確認することができる。
【００７６】
（８）ＧＵＩ制御モジュール１５は、レイアウトビュー４２を表示ウィンドウ３１に表
示させるタブ４２Ａとプレビュー４３を表示ウィンドウ３１に表示させるタブ４３Ａとを
表示させるとともに、各タブ４２Ａ，４３Ａの選択に基づいてレイアウトビュー４２及び
プレビュー４３を切り替え可能である。このため、スライダー５０の操作によりレイアウ
トビュー４２とプレビュー４３とを切り替える場合と比較して、レイアウトビュー４２と
プレビュー４３とを速やかに切り替えることができる。
【００７７】
（９）ＧＵＩ制御モジュール１５は、サムネイルビュー４１、レイアウトビュー４２、
及びプレビュー４３の各タブ４１Ａ，４２Ａ，４３Ａの選択に基づいて、スライダー５０
の操作子５１を、選択されたタブに対応するスライドバー５２におけるスライド領域の位
置に移動させる。これにより、各タブ４１Ａ，４２Ａ，４３Ａの選択後に操作子５１の位
置を調整する作業を省略することができるため、各タブ４１Ａ，４２Ａ，４３Ａによる各
ビュー４１，４２，４３の切り替え後のスライダー５０による画像データの記録領域ＲＡ
の拡大及び縮小の操作性が高くなる。
【００７８】
（１０）ＧＵＩ制御モジュール１５は、サムネイルビュー４１、レイアウトビュー４２
、及びプレビュー４３の各タブ４１Ａ，４２Ａ，４３Ａが選択されるとき、操作子５１を
、選択されたタブに対応するスライドバー５２におけるスライド領域の位置に段階的に移
動させる。これにより、ユーザーが操作子５１の移動を確認することができるため、各ビ
ュー４１，４２，４３に対応する操作子５１の位置が正しいか否かを把握しやすくなる。
【００７９】
（１１）ＧＵＩ制御モジュール１５は、スライダー５０のスライドバー５２における端
部領域５３の表示態様、第１スライド領域５４の表示態様、及び第２スライド領域５５の
表示態様を互いに異ならせる。これにより、ユーザーがスライドバー５２における端部領
域５３、第１スライド領域５４、及び第２スライド領域５５をそれぞれ区別しやすくなる
。加えて、第１スライド領域５４の長さ及び第２スライド領域５５の長さを把握しやすく
なる。このため、ユーザーが各スライド領域５４，５５における操作子５１の位置に対す
る記録領域ＲＡの拡大及び縮小の倍率を把握しやすくなる。
【００８０】
（１２）図２〜図４のスライダー５０に示すように、操作子５１が端部領域５３に位置
するとき、端部領域５３と第１スライド領域５４との境界が操作子５１により覆われ、操
作子５１が第２スライド領域５５の左端又は第１スライド領域５４の右端に位置するとき
、第１スライド領域５４と第２スライド領域５５との境界が操作子５１により覆われる。
このため、ユーザーは、各境界が見えなくなる。
【００８１】
この点、本実施形態では、スライドバー５２の下側には、端部領域５３における操作子
５１の位置を示す位置表示部５６Ａと、第２スライド領域５５の左端の操作子５１の位置
を示す位置表示部５６Ｂとが表示されている。このため、操作子５１によりスライドバー
５２の各領域の境界が見えなくなったとしても、位置表示部５６Ａ，５６Ｂにより各境界
に対する操作子５１の位置をユーザーが把握することができる。このため、操作子５１の
操作にともない、ユーザーの意図とは異なるビューの変更が抑制されるため、ユーザーの
不快感を低減することができる。
【００８２】
上記実施形態は、以下のような別の実施形態に変更してもよい。
・上記実施形態において、位置表示部５６Ａ，５６Ｂは、図２〜図４に示される三角形
に限らず、棒状等の他の形状に変更してもよい。
【００８３】
・上記実施形態において、スライドバー５２における第１スライド領域５４の左右方向
の長さと第２スライド領域５５の左右方向の長さとを互いに異ならせてもよい。この場合
、プレビュー４３における画像データの記録領域ＲＡをレイアウトビュー４２における画
像データの記録領域ＲＡよりも拡大することが好ましいため、第２スライド領域５５の左
右方向の長さを第１スライド領域５４の左右方向の長さよりも長くすることが好ましい。
【００８４】
・上記実施形態において、スライドバー５２の形状は、端部領域５３、第１スライド領
域５４、及び第２スライド領域５５の少なくとも１つを棒状とは異なる形状で表示させて
もよい。例えば、端部領域５３、第１スライド領域５４、及び第２スライド領域５５の少
なくとも１つを左端又は右端に頂角を形成する二等辺三角形などの三角形で表示させても
よいし、端部領域５３、第１スライド領域５４、及び第２スライド領域５５の少なくとも
１つを左右方向及び上下方向に対角線が延びる菱形で表示させてもよい。
【００８５】
・上記実施形態において、端部領域５３、第１スライド領域５４、及び第２スライド領
域５５の少なくとも２つの上下方向の幅を異ならせてもよい。この構成によれば、端部領
域５３と第１スライド領域５４との境界、及び第１スライド領域５４と第２スライド領域
５５との境界をユーザーが認識しやすくなる。
【００８６】
・上記実施形態において、位置表示部５６Ａ，５６Ｂが表示されていれば、端部領域５
３の表示態様、第１スライド領域５４の表示態様、及び第２スライド領域５５の表示態様
を互いに同じにしてもよい。
【００８７】
・上記実施形態において、各スライド領域５４，５５における操作子５１の単位移動量
当たりの画像データの記録領域ＲＡの拡大及び縮小の倍率は任意に設定可能である。ただ
し、第２スライド領域５５における操作子５１の単位移動量当たりの画像データの記録領
域ＲＡの拡大及び縮小の倍率が第１スライド領域５４における操作子５１の単位移動量当
たりの画像データの記録領域ＲＡの拡大及び縮小の倍率よりも大きいことが好ましい。ま
た、ユーザーが各スライド領域５４，５５における操作子５１の単位移動量当たりの画像
データの記録領域ＲＡの拡大及び縮小の倍率の設定を変更可能としてもよい。
【００８８】
・上記実施形態において、レイアウトビュー４２及びプレビュー４３において画像デー
タの記録領域ＲＡを拡大及び縮小する際の中心を任意に設定可能である。例えば、レイア
ウトビュー４２及びプレビュー４３において画像データの記録領域ＲＡを拡大及び縮小す
る際の中心をビュー表示領域３２の左上に設定してもよい。
【００８９】
・上記実施形態において、表示ウィンドウ３１のサムネイルのタブ４１Ａ、レイアウト
のタブ４２Ａ、及びプレビューのタブ４３Ａを省略してもよい。この場合、表示制御部１
４から連動表示処理が省略される。
【００９０】
・上記実施形態において、スライドバー５２の端部領域５３を長くすることにより、サ
ムネイルビュー４１において操作子５１の操作に基づいて画像データＪＤ１〜ＪＤ３の記
録領域ＲＡを拡大及び縮小してもよい。
【００９１】
・上記実施形態において、サムネイルビュー４１、レイアウトビュー４２、及びプレビ
ュー４３と、スライドバー５２の端部領域５３、第１スライド領域５４、及び第２スライ
ド領域５５との対応の組み合わせは任意に変更可能である。
【００９２】
・上記実施形態において、操作子５１が端部領域５３、第１スライド領域５４、及び第
２スライド領域５５のそれぞれに位置するときに、操作子５１の色、大きさ、形状等の表
示態様を変更させてもよい。その一例としては、操作子５１が端部領域５３に位置すると
き、操作子５１の形状が丸形であり、操作子５１が端部領域５３から第１スライド領域５
４に移動するとき、操作子５１の形状が丸形から三角形に変更し、操作子５１が第１スラ
イド領域５４から第２スライド領域５５に移動するとき、操作子５１が三角形から四角形
に変更する。
【００９３】
・スライダー５０は、サムネイルビュー４１、レイアウトビュー４２、及びプレビュー
４３の表示態様の切り替えに限られず、例えば、連続性のある画面の切り替えが可能なユ
ーザーインターフェースに適用してもよい。
【００９４】
・上記実施形態において、レイアウトボタン３４Ａが選択されたとき、設定画面３０の
表示ウィンドウ３１とは別の画面に専用画面として、「サムネイル」の画面を表示しても
よい。そして、専用画面上では「サムネイル」、「レイアウト」、又は「プレビュー」が
例えばタブなどで選択可能に表示されていてもよい。専用画面上の「サムネイル」、「レ
イアウト」、又は「プレビュー」が選択されることにより、その専用画面に「サムネイル
」、「レイアウト」、又は「プレビュー」の画面を表示してもよい。そして、スライドバ
ー５２の動作に応じて「サムネイル」、「レイアウト」、又は「プレビュー」の表示を切
り替えてもよく、また専用画面上で「サムネイル」、「レイアウト」、又は「プレビュー
」を選択することによって表示ウィンドウ３１上のスライドバー５２の位置を変更しても
よい。
【００９５】
・媒体は、連続紙に限定されず、単票紙、樹脂製のフィルム、金属箔、金属フィルム、
樹脂と金属の複合体フィルム（ラミネートフィルム）、織物、不織布、セラミックシート
等であってもよい。
【符号の説明】
【００９６】
１１…表示制御装置の一例であるプリントサーバー、１４…表示制御部、１５Ａ…選択
部、２２…表示部、４２…第１表示態様の一例であるレイアウトビュー、４２Ａ…レイア
ウトタブの一例であるタブ、４３…第２表示態様の一例であるプレビュー、４３Ａ…プレ
ビュータブの一例であるタブ、５０…スライダー、５１…操作子、５２…スライドバー、
５４…第１スライド領域、５５…第２スライド領域、ＲＡ…記録領域。
【図１】
0006520428.tif 000002
【図２】
0006520428.tif 000003
【図３】
0006520428.tif 000004
【図４】
0006520428.tif 000005
【図５】
0006520428.tif 000006
【図６】
0006520428.tif 000007
【図７】
0006520428.tif 000008